(57)【要約】【課題】既設のカムロックに設けたシリンダー錠を別のシリンダー錠に交換する場合に、自在レンチなどの特殊工具を必要とせず、ネジ回し用ドライバーを使うだけでの簡単作業でシリンダー錠が付替えできるよう組立構造を改良した扉ロック装置を提供する。【解決手段】扉の前面側から嵌挿したシリンダー錠４（日本自動販売機工業会規格（ＪＶＭＡ１００１）の適合品）の外筒４ａを扉板の裏面に配置した取付フレーム５に固定支持し、かつシリンダー錠の内筒から背後に突出するネジ軸４ｂに嵌挿した施錠カム８を六角ナット９で抜け止め支持した組立構造になる自動販売機の扉ロック装置において、前記取付フレーム５に、シリンダー錠の外筒に嵌着してシリンダー錠を組立位置に保持する抜け止め用スペーサ１２、およびシリンダー錠の背後側からナット係止穴１３ａに六角ナット９を嵌め合わせ、ビス１４を介して取付フレーム５に固定するナット固定金１３を組み付けてシリンダー錠４，および施錠カム８を組立位置に支持する。【選択図】        図１
2010065483.tif 000002
【特許請求の範囲】
【請求項１】
シリンダー錠に施錠カムを組合せ、該シリンダー錠の施錠に連係して扉を閉位置にロックする自動販売機の扉ロック装置であり、扉の前面側から嵌挿したシリンダー錠の外筒を扉板の裏面に配置した取付フレームに固定支持し、かつシリンダー錠の内筒から背後に突出するネジ軸に嵌挿した施錠カムを前記ネジ軸に螺合した六角ナットで支持した組立構造になるものにおいて、
前記取付フレームに、シリンダー錠の外筒に嵌着してシリンダー錠を組立位置に保持する抜け止め用スペーサ、およびシリンダー錠の背後側から前記六角ナットに係合させた上で取付フレームにビス止めするナット固定金を組み付けて構成したことを特徴とする自動販売機の扉ロック装置。
【請求項２】
請求項１に記載の扉ロック装置において、抜け止め用スペーサがシリンダー錠の外筒に嵌着したＵ形枠であり、該Ｕ形枠に植設した押しネジを介してシリンダー錠を所定の組立位置に係止保持したことを特徴とする自動販売機の扉ロック装置。
【請求項３】
請求項１に記載の扉ロック装置において、ナット固定金の板面に六角ナットの平径寸法に対応した溝幅のナット係止穴を開口し、六角ナットをこの係止穴に嵌合して係止固定した上で、ナット固定金をロック取付フレームにビス止したことを特徴とする自動販売機の扉ロック装置。
【発明の詳細な説明】
【技術分野】
【０００１】
この発明は、自動販売機の外扉を閉位置にロックするシリンダー錠付きの扉ロック装置に関する。
【背景技術】
【０００２】
昨今の自動販売機では、高い防盗性を確保するために、ハンドルロックとは別に、補助ロックとしてシリンダー錠に施錠カムを組合せたカムロックを追加装備して扉を二重にロックするようにした扉ロック装置が多く採用されている（例えば、特許文献１参照）。
次に、自動販売機に装備した前記補助ロック（シリンダー錠付きカムロック）の従来構造を図４〜図６に示す。なお、図４，図５はそれぞれカムロックの分解，および組立状態を表す斜視図、図６は自動販売機の庫内側から見たカムロックの取付配置図である。
【０００３】
まず、図６において、１は自動販売機のキャビネット、２は外扉、３は外扉に装着したシリンダー錠付きのカムロック（補助ロック）の組立体であり、外扉２を閉じた状態でカムロック３のシリンダー錠を施錠すると、外扉２に敷設した掛け金（スライダー）がキャビネット１の開口端に設けたフック状の受け金に係合して外扉２を閉位置にロックする。また、この扉ロック状態からシリンダー錠にキーを差し入れて解錠すると、シリンダー錠の後端に結合した施錠カムが回転して前記掛け金を釈放位置に移動し、これにより手動で外扉２が開けられる状態になる（特許文献１参照）。
【０００４】
次に、前記カムロック３の従来の組立構造を図４，図５に示す。各図において、４はシリンダー錠、５は前記外扉の裏面に設けた取付フレーム、６はワッシャ、７はシリンダー錠４の外筒４ａの周面に形成した雄ねじに螺合してシリンダー錠の本体を取付フレーム５に締結する六角ナット（ネジの呼び径：Ｍ１９）、８はシリンダー錠４の内筒（シリンダー）から背後へ突出するネジ軸４ｂに嵌挿した施錠カム８はネジ軸４ｂに螺合して施錠カム８を締結する六角ナット（ネジの呼び径：Ｍ７）、１０は施錠カム８の復帰ばね（捩じりコイルばね）、１１は施錠カム８と前記掛け金との間を連繋する索条である。
【０００５】
なお、前記シリンダー錠４は、どの自動販売機にも共通に取り付けられるように日本自動販売機工業会で制定した規格(ＪＶＭＡ１００１）の適合品であり、図７（ａ）〜（ｄ）で表すようにシリンダー錠４の外筒４ａ，および内筒の後端から背後に突き出したネジ軸４ｂの断面形状は左右側部を半月状にカットした小判形であり、シリンダー錠の全長Ｌ、前端鍔部４ｃの外径φ１およびその長さＬ１，外筒４ａのネジ径φ２，断面幅Ｄ１，および長さＬ２、ネジ軸４ｂの断面幅Ｄ２がそれぞれ規格で定めた寸法に規定されている。また、シリンダー錠のキー回転角は右９０度回転が標準であり、かつこの解錠位置では鍵が抜けないようになっている。
【０００６】
上記のカムロック３を自動販売機の外扉２（図６参照）に装着するには、まず外扉２の裏面に取付フレーム５をネジ止めした上で、外扉２の前面側から扉板，および取付フレーム５に形成した錠取付穴５ａ（シリンダー錠４の外筒４ａの断面形状に相応した小判形状の穴）にシリンダー錠４を嵌挿した上で、外扉の背後側からシリンダー錠４の外筒４ａに螺合した六角ナット７（Ｍ１９）をスパナ，自在レンチなどの工具を使って強固に締結する。次に、シリンダー錠４の後端側から復帰ばね１０，施錠カム８（施錠カムの基部には前記ネジ軸４ｂの断面形状に相応した小判形状の穴を開口しておく）を嵌挿した上で、前記と同様にスパナ，自在レンチなどの工具を使ってシリンダー錠４のネジ軸４ｂに螺合した六角ナット９（Ｍ７）を締め付けて施錠カム８を強固に締結し、さらにナットの緩み防ぐために接着剤を塗布する。その後、施錠カム８の先端と掛け金との間に索条１１を敷設して扉ロック装置の組立が完了する。
【特許文献１】特開２００１−６０３８号公報（図４，図５）
【発明の開示】
【発明が解決しようとする課題】
【０００７】
前記したカムロック３は自動販売機の組立工程で外扉２に装着した上で、自動販売機の製品をユーザーに出荷する。この場合にカムロック３に組み付けるシリンダー錠４は、防盗機能面で標準的なグレードの製品を採用している。
一方、自動販売機を購入したユーザーは、自動販売機の設置場所の条件（屋内設置，屋外設置）によっては、ピッキング，錠の破壊攻撃などに対して安全性の高いグレードのシリンダー錠（日本自動販売機工業会規格(ＪＶＭＡ１００１）の適合品）を市場から独自に購入して既設のシリンダー錠（標準品）に付替えて使用するケースが多くある。この場合に、シリンダー錠の付替え作業は自動販売機の据付け先の現場で行うことになる。
【０００８】
ところで、先述のように従来の自動販売機では、カムロック３に組み付けたシリンダー錠４，および該シリンダー錠４に結合する施錠カム８を締結するために、ネジの呼び径が異なる二種類（Ｍ１９，Ｍ７）の六角ナット７，９を使用して締結するようにしており、このために既設のシリンダー錠を取り外して新規に購入したシリンダー錠に付替えるには、自在レンチなどの特殊工具が必要でその作業に手間が掛かることから、ユーザサイドでの付替え作業に困難を伴う。また、六角ナット７，９の締め付けが不十分であると、その後の施錠，解錠操作の繰り返しに伴い六角ナットが緩み、最悪の場合にはシリンダー錠４，施錠カム８が脱落するおそれがある。
【０００９】
そこで、この発明は自在レンチなどの特殊工具を使って六角ナットを強固に締め付ける必要がなく、しかも既設のシリンダー錠に代えてユーザーが用意した別のシリンダー錠に交換する場合に、通常のネジ回し用ドライバーを使うだけでの簡単な作業でシリンダー錠を付替えできるように組立構造を改良した自動販売機の扉ロック装置を提供することを目的とする。
【課題を解決するための手段】
【００１０】
上記目的を達成するために、この発明によれば、扉の前面側から嵌挿したシリンダー錠（日本自動販売機工業会規格（ＪＶＭＡ１００１）の適合品）の外筒を扉板の裏面に配置した取付フレームに固定支持し、かつシリンダー錠の内筒から背後に突出するネジ軸に嵌挿した施錠カムを前記ネジ軸に螺合した六角ナットにより抜け止め支持した組立構造になる自動販売機の扉ロック装置において、
前記取付フレームに、シリンダー錠の外筒に嵌着してシリンダー錠を組立位置に保持する抜け止め用スペーサ、およびシリンダー錠の背後側から前記六角ナットに係合させた上で、取付フレームにビス止めするナット固定金を組み付けてシリンダー錠の本体および施錠カムを組立位置に支持するようにし（請求項１）、その抜け止め用スペーサ，ナット固定金は具体的に次記のような態様で構成するものとする。
（１）前記抜け止め用スペーサは、シリンダー錠の外筒に嵌着したＵ形枠になり、該Ｕ形枠に植設した押しネジを介してシリンダー錠を所定の組立位置に係止保持するようにする（請求項２）。
（２）前記ナット固定金の板面に六角ナットの平径寸法に対応した溝幅のナット係止穴を開口し、六角ナットをこの係止穴に嵌合して係止固定した上で、ナット固定金をロック取付フレームにビス止めして固定する（請求項３）。
【発明の効果】
【００１１】
上記構成により、自動販売機の製品出荷後にその扉ロック装置のシリンダー錠を別なシリンダー錠（日本自動販売機工業会規格（ＪＶＭＡ１００１）の適合品）に付替える際に、自在レンチなどの特殊な工具を使わずにネジ回し用ドライバーだけでシリンダー錠の交換作業を簡単に行うことができる。
すなわち、扉ロック装置の組立時には、扉の前面側から取付フレームの錠取付穴に嵌挿して押し込んだシリンダー錠に対し、取付フレームとシリンダー錠の後端に取り付けた施錠カムとの間に抜け止め用スペーサを介装してシリンダー錠の外筒に嵌着することにより、六角ナットを使わずにシリンダー錠を所定の組立位置に抜け止め支持することができる。さらに、このスペーサをロック取付フレームの板面に突き当てた位置で押しネジを介してシリンダー錠の外筒を係止することにより、シリンダー錠の前後方向のガタ発生を確実に防止できる。
【００１２】
また、シリンダー錠の後端に突出するネジ軸に嵌挿した施錠カムが抜け落ちないように前記ネジ軸に六角ナットを螺合（六角ナットは強固に締め付けず、仮止め状態に軽く締め付けておく）した上で、シリンダー錠の背後側からの六角ナットに嵌め合い係合させたナット固定金を前記取付フレームにビス止めして固定することにより、シリンダー錠の施錠，解錠操作を繰り返し行っても六角ナットは当初の締め付け位置に固定されたまま、ネジ軸，および施錠カムが相対的に回転（施錠／解錠の回転角度は９０度）することになる。これにより、六角ナットが当初の締め付け状態から緩んだり、ネジ軸から脱落するおそれなしに、シリンダー錠の施錠，解錠操作が繰り返し行える。
【００１３】
一方、シリンダー錠の付替えに際して既設のシリンダー錠を取り外す場合には、前記したナット固定金を取付フレームに固定しているビス、および抜け止め用スペーサに螺設した押えネジをドライバー（ネジ回し）を使って緩め、組立フレームからナット固定金を取り外した上で六角ナットを手動でネジ軸から外すだけの作業で、扉の前方側からシリンダー錠の本体を簡単に抜き取ることができる。これにより、工具を扱う作業に不慣れなユーザーでも、スパナ，自在レンチなどの特殊工具を使わずに、簡単，かつ短時間な作業でシリンダー錠を交換することができる。
【発明を実施するための最良の形態】
【００１４】
以下、この発明の実施の形態を図１〜図３に示す実施例に基づいて説明する。なお、図１はこの発明の実施例によるシリンダー錠付きカムロックの分解斜視図、図２（ａ），（ｂ）はカムロックの組立状態を表す背面図，および正面図、図３は自動販売機の庫内側から見た扉ロック装置の取付配置図であり、図４〜図６と同一部材には同じ符号を付してその説明は省略する。
【００１５】
まず、図１において、この発明によるカムロック３（自動販売機の補助ロック）は、シリンダー錠４（日本自動販売機工業会規格(ＪＶＭＡ１００１）の適合品）と、取付フレーム５と、施錠カム８と、六角ナット（Ｍ７）９と、この発明により新たに追加して前記取付フレーム５に組み付けたシリンダー錠本体の抜け止め用スペーサ１２，およびナット固定金１３との組立体からなる。
【００１６】
ここで、取付フレーム５は、図示のように前面壁の中央にシリンダー錠４の外筒４ａの断面形状に対応した錠取付穴５ａが開口し、左右に取付フランジを形成した箱形形状の板金加工品になり、その上下の壁部５ｂに穿孔した穴５ｃにビス１４を通して前記ナット固定金１３をビス止めするようにしている。
また、抜け止め用スペーサ１２はシリンダー錠４の外筒４ａの断面形状に合わせて鋼板をＵ字形に形成したもので、その側壁にはシリンダー錠を係止保持する押えネジ１２ａが螺設されている。
【００１７】
一方、ナット固定金１３には図示のように後端面に先記六角ナット（Ｍ７）９の平径ｄに対応した溝幅のナット係止穴（長穴）１３ａを開口し、上下端縁から前方に突き出すように形成したフランジ１３ｂには前記ビス１４を螺合するネジ穴１３ｃが形成されている。また、施錠カム８の回転中心にはシリンダー錠４の内筒から後方に突き出したネジ軸４ｂの断面形状に対応した小判形の軸穴８ａが開口し、カムの先端には操作ピン８ｂが植設されている。
【００１８】
次に上記構成のカムロック３を自動販売機の外扉２（図３参照）に装着する組立手順について説明する。まず、取付フレーム５を外扉２の裏面にネジ止めした上で、外扉の前方側から錠取付穴５ａにシリンダー錠４を嵌挿し、その前端鍔部４ｃが外扉２の扉板面に密着するよういっぱいに押し込む。次いで、外扉の裏面側からシリンダー錠４の外筒４ａに抜け止め用スペーサ１２を嵌着し、このスペーサ１２を取付フレーム５の板面に押し当てた状態で押えネジ１２ａを締め付けてシリンダー錠４をガタつき無しに所定の組立位置に係止固定する。続いてシリンダー錠４の内筒から後方に突き出したネジ軸４ｂに施錠カム８を嵌挿し、さらに六角ナット（Ｍ７）９を軽くねじ込んで施錠カム８を背後から押え込む。
【００１９】
次に、シリンダー錠４の背後側から前記六角ナット９にナット固定金１３のナット係止穴１３ａを嵌め合わせた上で、ナット固定金１３のフランジ１３ｂを組立フレーム５に嵌め込み、この位置でビス１４を螺合してナット固定金１３を組立フレーム５に固定してカムロック３の組立が完了する。
図３は前記のカムロック３の組立体を自動販売機の外扉に装着した状態（シリンダー錠：施錠）を表し、シリンダー錠４に結合した施錠カム８の操作ピン８ｂが扉ロックの掛け金（スライダー）に連結した操作片１５の溝穴１５ａに係合している。
【００２０】
上記の構成で、自動販売機の前方からシリンダー錠４にキーを差し込んで解錠操作（右回りに９０度回転）すると、六角ナット９はナット固定金１３に係止固定されたままシリンダー錠４の内筒（シリンダー）と、ネジ軸４ｂに結合した施錠カム８が回転し、その操作ピン８ｂが操作片１５を上方に押し上げて自動販売機の扉ロックを釈放する。これにより外扉２が開けられるようになる。また、外扉２を閉じた状態でシリンダー錠４を施錠位置に回すと、これに連動して施錠カム８がロック位置復帰して外扉２が鎖錠される。
【００２１】
一方、自動販売機のユーザーが当初から扉ロック装置に組み込まれている既設のシリンダー錠を防盗性のグレードが高い別なシリンダー錠に付替える場合には、外扉２を開放した状態で扉の裏面側からドライバー（ネジ回し）を使って先記した押えネジ１２ａ，ビス１４（図１参照）を緩め、いままで六角ナット９に係合していたナット固定金１３，およびシリンダー錠４の外筒４ａに嵌着していた抜け止め用スペーサ１２を組立フレーム５から取り外す。続いて背後からシリンダー錠４のネジ軸４ｂに螺合して軽く締め付けていた六角ナット９を手動で緩めて施錠カム８を抜き外す。これにより外扉２の前方側からシリンダー錠４を自由に抜き取ることができる。その後に、新規に付替えるシリンダー錠を先記した組立手順にしたがって装着し、カムロック３を組立てる。
【００２２】
上記の付替え作業の手順から判るように、自動販売機のユーザーが既設のシリンダー錠４を別なシリンダー錠に交換する場合には、従来構造（図４〜図６参照）のように自在レンチなどの特殊工具を使って六角ナット７（Ｍ１９），および六角ナット９（Ｍ７）緩めたり，締め付けたりする面倒な作業が必要なく、通常のネジ回し用ドライバーを使ってビス１４，押えネジ１２ａを操作するだけの簡単な作業でシリンダー錠４を付け替えることができてユーザーへのサービス性改善が図れる。
【００２３】
なお、前記した六角ナット９のねじ操作は手動で行うほか、ナット固定金１３を裏返しに使ってナット係止穴１３ａを六角ナット９に嵌合し、このナット固定金１３をレンチのように回して六角ナット９をネジ軸４ｂにねじ込んだり、緩めたりすることもできる。
また、カムロックのシリンダー錠を交換する自動販売機のユーザーが望むならば、既設のシリンダー錠を前記手順にしたがって取り外した後、先記した抜け止め用スペーサ１２，ナット固定金１３を使わずに、従来のカムロック（図４参照）と同様にレンチを使ってシリンダー錠４の外筒４ａに螺合したＭ１９の六角ナットを強固に締め付けてシリンダー錠の本体を取付フレーム５に直接締結し、さらに施錠カム８の固定についても前記と同様にレンチを使ってＭ７の六角ナットを強固に締め付けて施錠カムを締結することも可能である。
【図面の簡単な説明】
【００２４】
【図１】この発明の実施例によるカムロック組立体の分解斜視図
【図２】図１のカムロックの組立状態を表す外観図で、（ａ），（ｂ）はそれぞれ背面図，正面図
【図３】図２のカムロックを自動販売機の外扉に装着した状態を表す庫内側から見た取付配置図
【図４】従来におけるカムロック組立体の分解斜視図
【図５】図４の組立状態の外観斜視図
【図６】図５のカムロックを自動販売機の外扉に装着した状態を表す庫内側から見た取付配置図
【図７】日本自動販売機工業会規格(ＪＶＭＡ１００１）に適合するシリンダー錠の構成図で、（ａ）〜（ｄ）はそれぞれ正面図、側面図、背面図、および外筒の断面形状図
【符号の説明】
【００２５】
１    自動販売機のキャビネット
２    自動販売機の外扉
３    カムロック
４    シリンダー錠
４ａ  外筒
４ｂ  ネジ軸
５    組立フレーム
８    施錠カム
８ａ  軸穴
８ｂ  操作ピン
９    六角ナット（Ｍ７）
１２    抜け止め用スペーサ
１２ａ  押えネジ
１３    ナット固定金
１３ａ  ナット係止穴
１３ｂ  フランジ
１４    ビス
【図１】
2010065483.tif 000003
【図２】
2010065483.tif 000004
【図３】
2010065483.tif 000005
【図４】
2010065483.tif 000006
【図５】
2010065483.tif 000007
【図６】
2010065483.tif 000008
【図７】
2010065483.tif 000009